(57)【特許請求の範囲】
【請求項１】
アームレスト本体とシートバック側に設けたアームレスト支持部からなり、アームレスト本体を倒伏させた倒伏状態で使用され、アームレスト本体を起立させた起立状態で収納される回転方式のアームレスト装置であって、
固定側部品と可動側部品からなり、その一方の部品にアームレスト本体の回転軸方向の高低差を有する傾斜カム面を設け、他方の部品に前記傾斜カム面と接触する接触部を設けてスライドカム機構を構成し、該スライドカム機構により、使用の際にはアームレスト本体の倒伏方向回転でアームレスト本体を外スライドさせてシートバックから離反させ、収納の際にはアームレスト本体の起立方向回転でアームレスト本体を内スライドさせてシートバック側面に接近させるとともに、
倒伏状態にあるアームレスト本体を起立させる際のアームレスト本体の内スライドが、アームレスト本体を起立させる際の操作角度の後半部分で行われるようにしたことを特徴とするアームレスト装置。
【請求項２】
バネロック構造の高さ調節機能を具備し、その高さ調節操作の抵抗が軸方向へのスライド抵抗より小さい構造の請求項１記載のアームレスト装置。
【請求項３】
シートの側方に、請求項１又は２記載のアームレスト装置を設けたアームレスト装置付きシート。
【発明の詳細な説明】
【技術分野】
【０００１】
本発明は、使用時にはアームレスト本体を前方へ寝かせた状態とし、収納時には上向きに立たせた状態とすることのできるアームレスト装置と、該アームレスト装置を備えたアームレスト装置付きシートに関する。
【背景技術】
【０００２】
自動車等のアームレスト装置は、腕を支持するアームレスト本体と、シートに対して回動可能な状態で支持するためのアームレスト支持部品とによって構成され、使用時の高さが一定の様式と調節可能な様式のものがあり、使用状態と起立収納状態とは回動させて切り替えられる。アームレスト装置は、腕を支持するだけでなく安全ガード機能を持ち、着席者の身体の傾きや横ズレを防止すると言う安全上の観点から自動車シートに備え付けることがある。また、軸に外嵌されたコイルバネの端部を締付方向に引っ張ることによりロック状態とし、該コイルバネの端部を弛緩方向に押圧することによりロック解除状態とするバネロック構造を用いてアームレスト本体の高さ調節機能を行うことができるようにしたアームレスト装置も一般によく知られている（例えば、特許文献１〜３を参照）。
【０００３】
ところが、キャビンが狭い軽自動車や小型乗用車はもちろん、普通乗用車や大型車に於いても窮屈感を感じる等の問題は残る。例えば、ワンボックスカーの後部座席には通路側のみに取付けられるが、アームレスト装置の寸法分だけ通路が狭くなる。また、シートを前方に倒した後、キャビンの右側面に沿って立たせた状態に折り畳み、荷置きスペースを広く拡張する場合は折畳みの障害になる等の問題がある。この様なことから、起立収納状態にはアームレスト本体がシートの内方向にスライドして幅狭寸法で収納され、倒伏した使用状態にはアームレスト本体が外方向にスライドしてシートを広幅にする構造のアームレスト装置が合理的である。
【０００４】
ところで、事務用椅子ならば、アームレスト本体の横方向の取付位置を変更できるものが既に提案されている（例えば、特許文献４〜６を参照）。この種の事務用椅子では、着席者の体形などに合わせて、アームレスト本体の間隔を調節することができる。しかし、これらの椅子において、アームレスト本体の間隔を調節しようとすると、ボルトを外して横方向にスライドさせ、再度ボルトを締め直すなどの煩雑な作業が必要であった。このため、これらの事務用椅子のアームレスト構造は、倒伏状態と起立状態とが頻繁に切り替えられる自動車用シートなどに適用するものとしては不適切であった。また、これらの事務用椅子は、回動収納できる構造になってない。
【先行技術文献】
【特許文献】
【０００５】
【特許文献１】特開２００７−１８５２２３号公報
【特許文献２】特開２００９−２６１８２８号公報
【特許文献３】特開２００８−１６１５００号公報
【特許文献４】特開平０８−０００３９３号公報
【特許文献５】特開平０８−０２４０７９号公報
【特許文献６】特開平１０−３１３９７４号公報
【発明の概要】
【発明が解決しようとする課題】
【０００６】
本発明は、上記課題を解決するものであり、自動車のシートなどに好適に取り付けるもので、先端部が上向きに起立した収納状態においてはアームレストがコンパクトに内方向（シート中心方向）にスライドし、アームレスト本体の先端部を前方へ倒伏した使用状態においてはアームレスト本体が外方向（シート中心から離れる方向）にスライドしてシート幅をゆとりのある最適な幅に広げる構造のアームレスト装置を提供することを目的とする。また、この操作を極めて簡単にすることも本発明の目的である。さらに、コンパクトで安全なアームレスト装置付きシートを提供することも本発明の目的である。
【課題を解決するための手段】
【０００７】
上記課題は、アームレスト本体とシートバック側に設けたアームレスト支持部からなるもので、倒伏状態で使用し起立状態で収納する回転方式のアームレスト装置であって、固定側部品と可動側部品からなり、その一方の部品に高低差が軸方向の傾斜カム面を設け、他方の部品にそれと接触する接触部を設けてスライドカム機構を構成し、該スライドカム機構により、使用の際はアームレスト本体の倒伏方向回転でアームレスト本体を外方向にスライド（以下、外スライドと称す。）させてシート内幅を幅広とし、収納の際にはアームレスト本体の起立方向回転でアームレスト本体を内方向にスライド（以下、内スライドと称す。）させてシートバック側面に幅狭に収納することを特徴とするアームレスト装置（請求項１）を提供することによって解決される。すなわち、使用する際には、前方に倒す操作でシート中心から離れる方向に最適位置までアームレスト本体を広げ、収納の際は上向きに起こし収納する操作で内スライドさせシートバックの脇にアームレスト本体をコンパクトに収納するもので、シート幅の縮小を可能にし、その操作は何らの動作も加えるものでなく従来のアームレスト回動操作の中に組込み、ワンタッチである手段を提案する。
【０００８】
請求項１のアームレスト装置を換言すると、シートバックを備えたシートに取り付けるためのアームレスト装置であって、腕を支持するためのアームレスト本体と、アームレスト本体の基端部をシートバックの側方に支持するためのアームレスト支持部とを備え、アームレスト支持部を、シートバックの側方に固定される固定側部品と、固定側部品に対して回動可能な状態で連結された可動側部品とで構成することにより、アームレスト本体の先端部が前方に倒伏した倒伏状態と、アームレスト本体の先端部が上向きに起立した起立状態とを任意に切り替えることができるようにするとともに、固定側部品は固定側カムを含み、可動側部品は可動側カムを含み、可動側カムの回動運動をその回動軸方向への平行移動運動へと運動変換することにより、アームレスト本体の先端部を上向きに起立させる起立操作の際にアームレスト本体がシートバックに接近する一方で、アームレスト本体の先端部を前方に倒伏させる倒伏操作の際にアームレスト本体がシートバックから離反する構造としたことを特徴とするアームレスト装置である。
【０００９】
本発明の内外スライド機構は、例えば、カムを構成する固定側部品及び可動側部品の互いに対向する端面の、少なくとも何れか一方に高低差が軸方向の傾斜カム面を設けた端面カムでよい。また、固定側部品の周壁部に高低差が軸方向の傾斜カム面を持つ螺旋状の案内溝と、それに嵌入されるピンを持つ可動側部品との組合せで構成する円筒カムでもよい。要するに、構成する２部品の一方又は両方に設けた軸方向に高低差のある傾斜面と相手部品を接触させ、スライドさせるものであればよい。尚、このカムの設置箇所はアームレスト本体でもアームレスト支持部でも両方に分けてもよい。また、可動側カム（可動側部品）を一体にした樹脂製アームレスト本体も可能であり、材質や部材数の選択も自由である。
【００１０】
また、本発明は、アームレストの、幅広の倒伏使用状態から行う内外スライドが、起立収納を行う際の操作角度の後半部分であるアームレスト装置を提案している（請求項２）。これにより着座姿勢での内外スライド操作に伴う窮屈感の緩和若しくは取除きが可能である。また、高さ調節方式のアームレストにあっては、これにより高さ調節操作への影響を取り除くことが出来る。この動きの特定区分は、高さ調節の無いものにあってはスライド機構のカムの形状で行う。また、高さ調節方式のものにあっては、内スライド操作の抵抗を、高さ調節操作の抵抗より相対的に大きく設定することで実現している。尚、スライドの抵抗を相対的に大きくする手段は可動側部品と固定側部品で構成するスライドカムの回動抵抗や両者の接触抵抗を押付力や接触表面粗さを大きくする等で特に限定されない。次に本発明はバネロック構造の高さ調節機能を具備し、高さ調節操作の抵抗が軸方向へのスライド抵抗より小さい構造のアームレストを提案し（請求項３）、更に本発明は、上記いずれかのアームレスト装置を設けられて小型、軽量化されたシート（請求項４）を提案している。
【発明の効果】
【００１１】
以上のように、本発明のアームレスト装置を採用すると、使用状態においてはシート内幅がゆとりのある最適な広幅となり、一方収納は幅狭コンパクトになる。その切り替え操作は従来の回転操作だけのワンタッチである。さらに、本発明のアームレスト装置の用途に限定はなく、身体の安全ガード機能を活かして、建機や農機、福祉機器等多分野に利用できる。中でも、限られた室内空間である自動車シート用として好適で、小型の車であってもゆとりあるシートの内幅や室内通路幅の確保、シートベルト着脱時の障害への対応、シート折畳み時の障害への対応等が可能になる。これによるシート設計の自由度向上で小型化、軽量化と安全で快適な自動車室内の提供に寄与できる。
【図面の簡単な説明】
【００１２】
【図１】アームレスト装置付きシートを前方から見た状態を示した正面図である。
【図２】アームレスト装置付きシートを側方から見た状態を示した側面図である。
【図３】倒伏状態にある第一実施態様のアームレスト装置をその中心線Ｌを含む鉛直面で切断した状態を示した部分断面図である。
【図４】第一実施態様のアームレスト装置におけるスライドカム機構を構成する部品群を分解した状態を示した斜視図である。
【図５】第一実施態様のアームレスト装置が倒伏状態から起立状態、若しくは起立状態から倒伏状態へと切り替わっている途中の状態にあるときの固定側カムと可動側カムを示した斜視図である。
【図６】第一実施態様のアームレスト装置が倒伏状態にあるときの固定側カムと可動側カムを垂直な面で切断した状態を示した拡大断面図である。
【図７】第一実施態様のアームレスト装置が倒伏状態から起立状態、若しくは起立状態から倒伏状態へと切り替わっている途中の状態にあるときの固定側カムと可動側カムを垂直な面で切断した状態を示した拡大断面図である。
【図８】第一実施態様のアームレスト装置において、アームレスト本体が下限位置にあるときのアウタープレートとインナープレートを、中心線Ｌに垂直な平面で切断した状態を示した断面図である。
【図９】倒伏状態にある第二実施態様のアームレスト装置をその中心線Ｌを含む鉛直面で切断した状態を示した部分断面図である。
【図１０】第二実施態様のアームレスト装置におけるスライドカム機構を構成する部品群を分解した状態を示した斜視図である。
【図１１】起立状態にある第三実施態様のアームレスト装置をその中心線Ｌを含む鉛直面で切断した状態を示した部分断面図である。
【発明を実施するための形態】
【００１３】
本発明のアームレスト装置１００の実施態様を自動車のシート２００に設ける場合を例に図面を用いて説明する。図１は、アームレスト本体１１０が倒伏使用状態にあるシート２００の正面図で、図２は高さ調節式アームレスト装置付きシート２００の側面図（実線は倒伏状態を示す）で、使用状態と、収納状態を切り替える回動式のものとなっている。図２に示すように、アームレスト装置１００は、倒伏状態から上向きの起立状態となる際に、図１における移動距離ｘ１の分だけ、アームレスト本体１１０が内スライドされてシートバック２１０に収納され、起立収納状態から倒伏使用状態となる際には移動距離ｘ１の分だけ、アームレスト本体１１０が外スライドされる構造になっている。
【００１４】
これにより、図１に示すように、シートバック２１０や座面２２０の幅を従来と比較して移動距離ｘ１の分だけ小さく（図１における網掛けハッチング部分）することができる。移動距離ｘ１は通常３ｃｍから５ｃｍ以上に設定され、シート２００の縮小軽量化が可能である。また、通路を挟んで左右のシート２００に取り付ける場合にはこれにより通路幅を６ｃｍから１０ｃｍも大幅に広げられる。以下、順番に説明する。
【００１５】
まず、バネロック構造の高さ調節式である第一実施態様の説明をする。図２は左側のアームレスト装置１００をシートバック２１０に取り付けた状態の側面図で、Ｂ１は０°の倒伏使用状態の下限位置、Ｂ２は倒伏使用状態の上限位置、Ｂ３は起立収納位置、θ１は使用範囲で４５°程度、θは操作範囲で１２０°程度である。よって、起立操作において内スライド開始位置は操作範囲の後半のＢ２からＢ３（θ２）の間に設定される。図３は、アームレスト装置１００を軸Ｌを含む鉛直面で切断した状態を示した部分断面図で、説明の便宜上、固定側カム１２１と可動側カム１２５は、係合部１２５ｂ（図６、図７を参照）をその幅方向に二等分する面（中心線Ｌを中心とした円筒状の曲面）で切断した断面で示してある。
【００１６】
アームレストフレーム支持軸１１２は、一端がアームレストフレーム１１１に固定されたロックスプリング１１３が締め付け状態に外嵌された円筒形状をしており、それに取付プレート１２９が固定され、インナープレート１２６及び可動側カム１２５が一体で取り付けられている。ロックスプリング１１３の他の一端は自由端で、それを操作してロック解除、保持、及び復帰等を行う構造であり、倒伏方向回転で締め付けロックし、起立方向回転で弛み状態になる形態のバネロック構造を成している。図２のＢ１位置から上方のＢ２位置までの高さ調整範囲（使用範囲）θ１に於いては５００Ｎ程度のバネロック力が生ずることから倒伏方向へは回転しない。起立方向へは２０Ｎ程度の先端操作力で回転し高さの調節が出来る。更に起立方向に回動させるとＢ２位置でロックスプリング１１３が巻き戻されてロック解除され保持され倒伏方向への回転も可能になる。倒伏方向に下限位置Ｂ１まで回転さすと元のロック作用状態に復帰される。（特許文献１）
【００１７】
また、図４は可動側部品１２５〜１２９と固定側部品１２１〜１２３で構成した回動運動を軸方向への平行移動に変換させるスライドカム機構部分の分解した状態を示した斜視図で、図５は倒伏状態から起立状態、若しくは起立状態から倒伏状態へと切り替わっている途中の状態にあるときの固定側カム１２１と可動側カム１２５を示した斜視図で、図６，７は高さ調節と軸方向の内外スライドの２つの動きを区分する手段の１つであるスライドカムに係合部１２５ｂを設けて抵抗力を高める事例の説明図である。
【００１８】
スライドカム機構は、図３、４に示すように、固定側カム１２１と、アウタープレート１２２と、ボトムプレート１２３と、可動側カム１２５と、インナープレート１２６と、ガイドリング１２７と、押付スプリング１２８と、取付プレート１２９とで構成され、中心線Ｌを中心として配されている。シートフレーム２１１側に固定された固定側カム１２１と、アームレスト本体１１０の回転で回動するように結合された可動側カム１２５で回転運動を平行移動に変換させるスライドカム機構を形成している。ガイドリング１２７は平行移動する時のガタツキと焼付きを防ぐシューの役割であり、押付スプリング１２８は広がったカム間隔を元に戻すための押圧力となる。また、アウタープレート１２２、インナープレート１２６は使用時にアームレスト本体１１０に掛かる垂直方向負荷、後方負荷および横方向の負荷（例えばアーム先端負荷８００Ｎ）に対応した鋼板構造にしてある。
【００１９】
固定側カム１２１には端面に軸方向に高低差を持つ傾斜カム面α１と平行カム面α２および垂直掛止面α３が形成され、一方可動側カム１２５には、軸方向に高低差を持つ傾斜カム面β１と平行カム面β２および垂直掛止面β３が形成されている。尚、このカムは円周に何組設けてもよい。図５は、アームレスト本体１１０の起立前の中間状態を示しているが、これの倒伏状態は可動側カム１２５の平行カム面β２が固定側カム１２１の平行カム面α２に接触する図６または図７の状態になる。この状態にあっては、可動側カム１２５は、起立方向Ａ１と倒伏方向Ａ２のいずれに回動させても、中心線Ｌに平行な軸方向へは移動しない。ちなみに高さ調節の無いアームレスト本体１１０の内スライドを起立操作の後半に特定するには、平行カム面α２、β２部分の長さの割合をカム部全長の半分程度に設定する（図示寸法から見れば増す）ことで可能である。
【００２０】
また、図６、７に示す如くスライドカムの倒伏状態で互いに当接する箇所に、係合部１２５ｂおよび被係合部１２１ｂを設けると良い。これらの係合抵抗（例えば先端操作抵抗で３０Ｎ）は可動側カム１２５の回動を規制する。また、図８に示す様にアームレストフレーム１１１には第１押圧部１１１ｂと第２押圧部１１１ｃが一体的に設けられ、取付プレート１２９の外周部にはフランジ端１２９ａ及び１２９ｂのフランジが所定区間のみに局所的に設けられている。これにより、アームレストが使用範囲を越えロックが解除され保持された後に始めて第１押圧部１１１ｂがフランジ端１２９ｂに当接することになる。その後に可動側カム１２５が回され、係合部１２５ｂは弾性変形して図７の状態になり、さらに進むと押付スプリング１２８によって内スライドが開始されることになる。
【００２１】
言うまでも無くこの状態にあっては回動運動が平行移動運動へと変換され、内外いずれの軸方向へもスライドする。すなわち、起立方向Ａ１に回動させると、可動側カム１２５が一体的に回動して内スライドし、一方、倒伏方向Ａ２に回動させると、外スライドすることになる。この時、押付スプリング１２８（図３，４を参照）は常時、可動側カム１２５を固定側カム１２１に押し付けてスムーズな内外スライド動作を保証する。尚、倒伏下限位置にはストッパーを設けて回動を規制している。以上の手段は、あくまで一例であり、他の構成を採用しても、同様の動作を実現することができる。また、高さ調整のロック機構としてバネロック構造でなく、ラチェット機構等によっても同様の動作は実現できる。
【００２２】
以下詳しく説明する。アームレスト本体１１０が下限位置Ｂ1にある図３又は図６の状態においては、平行カム面α２と平行カム面β２とで接触して、アームレスト本体１１０が外スライドした状態となっている。また、ロックスプリング１１３はロック状態に復帰していてアームレストフレーム支持軸１１２を締め付けたロック状態にある。また、図８の如く、アームレストフレーム１１１が倒伏方向Ａ２へ回動して、これと一体的に回動した第二押圧部１１１ｃが、取付プレート１２９のフランジの一方の端面１２９ａに当接した状態になると、倒伏方向Ａ２にそれ以上力を加えても、インナープレート１２６のフランジ部１２６ａの端面１２６ｃが、アウタープレート１２２の縦壁面１２２ｅに当接して掛止されているため（当接部Ｐ２）、アームレストフレーム１１１はそれ以上回動することはない。
【００２３】
ところで、高さ調節の回動操作力はロックスプリング１１３の滑り摩擦抵抗や、巻戻し、ロック解除、保持の切替に要する力で、前述の如くアームレスト本体１１０の先端で２０Ｎ程度である。それ故に、内外スライド操作抵抗との相対的な大小関係によっては、高さ調節を行う範囲（図２におけるθ１の範囲）でアームレスト本体１１０が内スライドするおそれがある。これに対しては内外スライド操作抵抗を相対的に大きくすることで対処する。その手段の一つは図３の押付スプリング１２８の押付力を大きくすることである。例えば線径を加減したり、場合によればウェーブワッシャを追加しても良い。この押付力により固定側カム１２１と可動側カム１２５の各平行カム面α２、β２の接触抵抗の調整が出来て、希望する操作抵抗の設定が可能である。
【００２４】
次に、樹脂成型品のスライドカムの場合の他の事例を図６，７で説明する。本事例のスライドカムは下限位置Ｂ１で係合部１２５ｂと被係合部１２１ｂとが係合される。その係合抵抗は（図６の状態で）３０Ｎ以上に設定してあり、前記の操作抵抗２０Ｎに対して相対的に大きい。故に図２のＢ２迄の使用範囲での高さ調節に於いては可動側カムの回動は無く、外スライド状態が保たれる。その後の回動操作でＢ２ポイントに於いてロックスプリング１１３が巻き戻しロック解除され保持された後に始めて、第一押圧部１１１ｂから当接部Ｐ３で起立方向Ａ１の回転力を受け、係合状態の係合部１２１ｂは弾性変形して回動し、アームレスト本体１１０の内スライドが開始される。尚、前述の押付スプリング１２８の押付力の大きさによっては平行カム面α２、β２の深い係合凹凸を必要とせず、単に面を粗らすことで足りる場合もある。
【００２５】
この場合の内スライドの開始位置は、着座者の窮屈感を除く為に操作範囲の中間から下を避けて極力上方が望ましい。ちなみに、第一実施態様のアームレスト装置１００においては内スライド開始位置Ｂ２は、約４５°としている。  更に起立操作を続けると、そのうち、インナープレート１２６のフランジ部１２６ａにおける端面１２６ｂが、アウタープレート１２２における凹部１２２ｃの縦壁面１２２ｄに当接して掛止された状態となる（当接部Ｐ４）。この瞬間に、アームレスト本体１１０は上限位置Ｂ３に達しそれ以上回動しない。第一実施態様の起立上限角度Ｂ３は、１２０°としている。
【００２６】
次に、第二実施態様の説明をする。図９は第一実施態様とは異なる高さ調整機構を有するアームレスト装置１００を、その中心線Ｌを含む鉛直面で切断した状態を示した部分断面図であり、図１０はスライドカム機構を分解した状態を示した斜視図である。スライド機構はアウタープレート１２２と、ボトムプレート１２３と、インナープレート１２６と、取付プレート１２９（図９参照）とで構成され、案内溝１２２ｆと案内ピン１２６ｄでカムを形成している事例である。
【００２７】
最後に、第三実施態様のアームレスト装置１００について説明する。図１１は、起立状態にある第三実施態様のアームレスト装置１００を、中心線Ｌを含む鉛直面で切断した状態を示した部分断面図である。スライドカム機構はアームレスト本体１１０に内蔵され、構成は案内ピン１３１ａを一体に取付けた可動側ドラム１３１と、それの内側には第二実施態様の図１０に示すカムと同様に軸方向に高低差を持つ傾斜面の案内溝１３０ａを具備した固定側ドラム１３０で構成し、可動側ドラム１３１はアームレスト本体１１０に、固定側ドラム１３０はアウタープレート１２２に其々一体的に固定されている。本実施態様では、高さ調節機構が設けられていないが故に、スライドカムの平行カム面α２を充分長くすることで内外スライドの開始位置を操作範囲の後半の起立収納位置の直前に特定して、窮屈感の無いものにしてある。
【００２８】
以上の如く本発明のアームレスト装置１００における内外スライドカム機構は固定側部品又は可動側部品の少なくとも何れか一方の端面又は周壁部に、軸方向に高低差のある傾斜カム面を設けてスライドカムを構成し、その傾斜面と相手部品を接触させスライドさせるものである。このカムの設置場所はアームレスト本体１１０とアームレストフレーム支持部のいずれでも良い。また、回転カムを一体に設けた樹脂製アームレスト本体にすることも可能で、材質や部材数の選択も自由である。
【００２９】
さらに、上記いずれかのアームレスト装置１００を設けたシートを提供することにより、使用状態においてはシート内幅がゆとりのある幅広となり、一方収納は幅狭コンパクトになる。その切り替え操作は回転操作だけのワンタッチである。更に、アームレストのガード効果からシートそのものの小型化を可能にし、広い分野への利用を可能にした。中でも、限られた室内空間である自動車シートに好適で、今日まで取付け出来なかった小型の車であってもガード効果によって安全であり、ゆとりあるシートの内幅や室内通路幅の確保、シートベルト着脱時の障害への対応、シート折畳み時の障害への対応等、小型、軽量、安全で快適な自動車室内の提供に寄与できる。
【符号の説明】
【００３０】
１００    アームレスト装置
１１０    アームレスト本体
１１１    アームレストフレーム
１１１ａ  ガイド片
１１１ｂ  第一押圧部
１１１ｃ  第二押圧部
１１２    アームレストフレーム支持軸
１１３    ロックスプリング
１１４    表皮材
１２０    アームレスト支持部
１２１    固定側カム（固定側部品）
１２１ａ  突片（軸方向へ高い部分）
１２１ｂ  被係合部
１２２    アウタープレート（固定側部品）
１２２ａ  フランジ部
１２２ｂ  周壁部
１２２ｃ  凹部
１２２ｄ  凹部の裏側の倒伏方向を向く縦壁面
１２２ｅ  凹部の裏側の起立方向を向く縦壁面
１２２ｆ  案内溝
１２２ｇ  傾斜案内部
１２２ｈ  第一平行案内部
１２２ｉ  第二平行案内部
１２３    ボトムプレート（固定側部品）
１２５    可動側カム（可動側部品）
１２５ａ  突片（軸方向へ高い部分）
１２５ｂ  係合部
１２６    インナープレート（可動側部品）
１２６ａ  フランジ部
１２６ｂ  フランジ部における起立方向を向く端面（第一掛止部）
１２６ｃ  フランジ部における倒伏方向を向く端面（第二掛止部）
１２６ｄ  案内ピン
１２７    ガイドリング（可動側部品）
１２８    押付スプリング（可動側部品）
１２９    取付プレート
１２９ａ  フランジ端（起立方向側）
１２９ｂ  フランジ端（倒伏方向側）
１３０    固定側ドラム
１３０ａ  案内溝
１３１    可動側ドラム
１３１ａ  案内ピン
２００    シート
２１０    シートバック
２１１    シートバックフレーム
２２０    シート座面
２３０    ヘッドレスト
Ａ    可動側部品群の回動方向（軸Ｌの周回方向）
Ａ１  起立方向
Ａ２  倒伏方向
Ｂ１  下限位置
Ｂ２  収縮動作開始位置
Ｂ３  上限位置
Ｂ４  拡張動作開始位置
Ｌ    中心線
ａ    掛止部
ｂ    溶接部
ｃ    溶接部
ｄ    掛止部
ｅ    掛止部
ｆ    ボルト部
ｇ    ボルト部
α１  傾斜カム面
α２  平行カム面（軸方向へ高い部分）
α３  垂直掛止面
β１  傾斜カム面
β２  平行カム面（軸方向へ高い部分）
β３  垂直掛止面
θ    アームレスト本体の起立角度
θ１  収縮動作開始角度
θ２  拡張動作開始角度
θ３  起立上限角度
【図１】
0005653175.tif 000002
【図２】
0005653175.tif 000003
【図３】
0005653175.tif 000004
【図４】
0005653175.tif 000005
【図５】
0005653175.tif 000006
【図６】
0005653175.tif 000007
【図７】
0005653175.tif 000008
【図８】
0005653175.tif 000009
【図９】
0005653175.tif 000010
【図１０】
0005653175.tif 000011
【図１１】
0005653175.tif 000012